(57)【要約】【課題】遺体の移動を容易に行うことができ、また、その移動をスムーズ且つ安定した状態で行うことができる湯灌用洗浄槽を提供すること。【解決手段】湯灌の対象となる遺体を載置するテーブル２と、テーブル２をスライド可能に支持するテーブル支持板３と、洗浄に用いた湯を収容する浴槽型の貯湯槽４と、貯湯槽４の下方に配置された台座５と、テーブル支持板３を支持するテーブル支持板支持部６と、貯湯槽４を昇降するための昇降装置７とを備え、昇降装置７により貯湯槽４を上昇した状態において、テーブル２はテーブル支持板３と貯湯槽４の上縁であるフランジ４１の上面とに支持された状態で水平方向に移動することを特徴とする。【選択図】  図１
2006051246.tif 000002
【特許請求の範囲】
【請求項１】
湯灌の対象となる遺体を載置するテーブルと、該テーブルをスライド可能に支持するテーブル支持板と、洗浄に用いた湯を収容する貯湯槽と、該貯湯槽の下方に配置された台座と、前記テーブル支持板を支持するテーブル支持板支持部と、前記貯湯槽を昇降するための昇降装置とを備え、
前記昇降装置により前記貯湯槽を上昇させた状態において、前記テーブルは前記テーブル支持板と前記貯湯槽の上縁であるフランジの上面とに支持された状態で水平方向に移動可能となっていることを特徴とする湯灌用洗浄槽。
【請求項２】
前記テーブル支持板は、所定間隔をおいて一対設けられ、前記貯湯槽には、その底面に前記テーブル支持板の位置と対応して一対の貫通孔と該貫通孔のそれぞれの周囲に垂直に立設した防水壁とが設けられ、また、前記テーブル支持板支持部には、該貫通孔を貫通する支持支柱がそれぞれ設けられており、該支持支柱の側面が該防水壁の内壁面との間で摺動し、前記貯湯槽の昇降方向における位置を規制していることを特徴とする請求項１記載の湯灌用洗浄槽。
【請求項３】
前記貯湯槽の上昇時において、前記防水壁の上縁が前記テーブル支持板の底面と接触することにより、前記貯湯槽の上昇位置が規制されることを特徴とする請求項２記載の湯灌用洗浄槽。
【請求項４】
前記テーブル支持板の底面にはパッキン材が設けられており、前記貯湯槽の上昇時において前記防水壁の上縁が該パッキン材と当接し漏水を防止することを特徴とする請求項３記載の湯灌用洗浄槽。
【請求項５】
前記貯湯槽の下降時において、前記貯湯槽のフランジの裏面が前記台座の上縁と当接し、貯湯槽の下降位置を規制することを特徴とする請求項１記載の湯灌用洗浄槽。
【請求項６】
前記テーブル支持板の上面には、前記テーブルのスライド方向に沿って延在するレール部を備えている請求項１記載の湯灌用洗浄槽。
【請求項７】
前記台座には、前記テーブルのスライド方向側に膝入部が設けられている請求項１記載の湯灌用洗浄槽。
【請求項８】
前記昇降装置は、貯湯槽の底部を昇降可能に支持するパンタグラフ状装置と、該パンタグラフ状装置を駆動する駆動部とを備え、該駆動部に、湯灌に用いる洗浄水の水圧を利用したアクチュエータを利用している請求項１記載の湯灌用洗浄槽。
【発明の詳細な説明】
【技術分野】
【０００１】
本発明は、葬儀における湯灌に使用される湯灌用洗浄槽に関する。
【背景技術】
【０００２】
出願人は、美観に優れるとともに、担架を用いることなく洗浄作業を可能とし、さらに洗浄作業を容易にすることを目的とする湯灌用洗浄槽の特許出願（特願２００４−０２２１９７号）を行った。
【０００３】
この湯灌用洗浄槽は、湯灌の対象となる遺体が載置されるテーブルと、洗浄に用いた湯を収容する貯湯槽とを備え、前記テーブルが貯湯槽に着脱自在に配置されている。この貯湯槽は、その周囲が台座によりほぼ取り囲まれるようになっており、かつ台座に着脱自在に支持されている。テーブルと貯湯槽の間には、間隙が設けられており、洗浄に用いた湯は、この間隙を通じて貯湯槽内へ落下するように構成されている。
【発明の開示】
【発明が解決しようとする課題】
【０００４】
遺体の移動作業は洗浄作業を行う２人程度の従事者が行う。その際、従事者は湯灌用洗浄槽の側部に正座もしくは膝立ちし遺体を抱えるようにして移動する。上記の湯灌用洗浄槽は、担架を用いる従前の湯灌用洗浄槽に比べると、遺体を移動する際の従事者の労力を軽減することができた。しかし、上記の湯灌用洗浄槽を用いた場合でも、遺体を持ち上げ、貯湯槽の縁を超えるようにして遺体を移動する必要がある。この遺体を持ち上げる労力は、上記のような無理な姿勢を強いられる従事者にとって大きな負担であり、また非力な女性の従事者も多いことから、この問題をさらに改善する必要があった。また、湯灌の儀は儀式であるため、遺体の移動等はスムーズ且つ安定した状態で行うことが要求される。
【０００５】
本発明は、上記問題点に鑑み、遺体の移動を容易に行うことができ、また、その移動をスムーズ且つ安定した状態で行うことができる湯灌用洗浄槽を提供することを目的とする。
【課題を解決するための手段】
【０００６】
本発明の湯灌用洗浄槽は、湯灌の対象となる遺体を載置するテーブルと、該テーブルをスライド可能に支持するテーブル支持板と、洗浄に用いた湯を収容する貯湯槽と、該貯湯槽の下方に配置された台座と、前記テーブル支持板を支持するテーブル支持板支持部と、前記貯湯槽を昇降するための昇降装置とを備え、
前記昇降装置により前記貯湯槽を上昇させた状態において、前記テーブルは前記テーブル支持板と前記貯湯槽の上縁であるフランジの上面とに支持された状態で水平方向に移動可能となっていることを特徴とする。
【０００７】
本発明によれば、テーブルの移動方向に膝立ちしている従事者は、遺体が載置されているテーブルを、力を入れやすい適切な位置へ引き寄せることが可能となる。このため、遺体を抱える際に安定した姿勢をとることができ、容易に遺体を持ち上げることが可能となる。
【０００８】
また、本発明の湯灌用洗浄槽では、前記テーブル支持板は、所定間隔をおいて一対設けられ、また前記貯湯槽には、その底面に一対の貫通孔と該貫通孔のそれぞれ周囲に垂直に立設した防水壁とが設けられ、また、前記テーブル支持板支持部には、該貫通孔を貫通する支持支柱が設けられており、該支持支柱の側面が該防水壁の内壁面との間を摺動し、前記貯湯槽の昇降方向における位置を規制していることを特徴とする。
【０００９】
支持支柱と防水壁の摺動は、防水壁の内壁面全体が常に支持支柱の側壁面に接触しているため、水平方向における振動やブレを抑制して安定した状態で貯湯槽の昇降動作を可能にすることができる。
【００１０】
さらに本発明の湯灌用洗浄槽では、前記貯湯槽の上昇時において、前記防水壁の上縁が前記テーブル支持板の底面と接触することにより、前記貯湯槽の上昇位置が規制されることを特徴とする。
【００１１】
貯湯槽の上昇位置を規制するための特別な部材を必要としないため、製造コストを低減することができる。
【００１２】
さらに本発明の湯灌用洗浄槽では、前記テーブル支持板の底面にはパッキン材が設けられており、前記貯湯槽の上昇時において前記防水壁の上縁が該パッキン材と当接し漏水を防止することを特徴とする。
【００１３】
貯湯槽の底面に設けられた貫通孔と支持支柱とは相対的に移動する関係にあり、その両者の間にはなんらかの間隙を必要とするが、防水壁とパッキン材とによりこの間隙からの漏水を完全に阻止することができた。
【００１４】
さらに本発明の湯灌用洗浄槽は、前記貯湯槽の下降時において、前記貯湯槽のフランジの裏面が前記台座の上縁と当接し、貯湯槽の下降位置を規制することが好ましい。
【００１５】
さらに本発明の湯灌用洗浄槽は、前記テーブル支持板の正面には、前記テーブルのスライド方向に沿って延在するレール部を備えていることが好ましい。
【００１６】
テーブルの裏面はテーブル支持板のレール部材に対応する凹部が形成されているため、移動する方向性が安定する。
【００１７】
さらに本発明の湯灌用洗浄槽では、前記台座には、前記テーブルのスライド方向側に膝入部が設けられていることが好ましい。
【００１８】
テーブルのスライド方向側に膝入部が設けられていることにより、遺体を持ち上げる際、従事者に安定した姿勢をとることを可能にする。
【００１９】
さらに本発明の湯灌用洗浄槽では、前記昇降装置は、貯湯槽の底部を昇降可能に支持するパンタグラフ状装置と、該パンタグラフ状装置を駆動する駆動部とを備え、該駆動部に、湯灌に用いる洗浄水の水圧を利用したアクチュエータ利用していることが好ましい。
【００２０】
このように、昇降装置を、パンタグラフ状装置と、湯灌に用いる洗浄水の水圧を利用したアクチュエータから成る駆動部とから構成することにより、簡単かつ安価にテーブルの昇降を実現することが可能となる。
【発明を実施するための最良の形態】
【００２１】
以下、本発明の実施の形態に係る湯灌用洗浄槽１について説明する。図１は、湯灌用洗浄槽１の分解斜視図であり、図２は、その組立状態を示す斜視図である。
【００２２】
この湯灌用洗浄槽１は、湯灌の対象となる遺体を載置するテーブル２と、テーブル２をスライド可能に支持する一対のテーブル支持板３と、洗浄に用いた湯を収容する浴槽型の貯湯槽４と、貯湯槽４の下方に配置された台座５と、テーブル支持板３をそれぞれ支持する一対のテーブル支持板支持部６と、貯湯槽４を昇降するための昇降装置７とを備えている。昇降装置７を除くこれらの部材は、強度に優れるＦＲＰにより製作することが好ましい。
【００２３】
最初に、主に図１を参照しつつ、各構成部分について詳細に説明する。
テーブル２は平板であり、表面２０は遺体が載置されるため平坦に形成されている。裏面２１は後述するように、一対のテーブル支持板３のそれぞれに設けられている２本のレール部３１により支持される。また、裏面２１は、そのレール３１の上をスライド移動できるようにレール３１に対応する凹部が形成されている。
【００２４】
テーブル２の大きさは、後述する貯湯槽４の貯湯部４０の内部に収容可能な大きさである。図５に示すように、テーブル２が貯湯部４０内に収容された状態において、貯湯部４０の内壁面とテーブル２の縁との間隔Ｗは約５０ｍｍ程度であることが好ましい。
【００２５】
貯湯槽４は内部に貯湯部４０を有し、全体の形状は浅い浴槽型である。上縁部分には周囲にわたってフランジ４１が設けられている。図６に示すように、このフランジ４１の裏面は貯湯槽４の下降時において、台座５の上縁５１と当接しかつ該上縁５１により当接支持される。
【００２６】
貯湯槽４の底面４２には、一対の四角形状の貫通孔４３と、この貫通孔４３の周囲に垂直に立設された筒状の防水壁４４が設けられている。この一対の貫通孔４３には、後述するテーブル支持板支持部６の各支持支柱６２が貫通する。
【００２７】
なお、貯湯部４０の底面４２には排水孔（図示せず）が設けられている。貯湯部４０に落下した汚水は、この排水孔から汚水回収タンク（図示せず）へ排出される。この汚水回収タンクは、専用車両に搭載したものでもよく、その場合には、持ち帰って処理される。
【００２８】
台座５は四角形状の枠体であり、図２に示すように、組立時においては貯湯槽４の周囲をほぼ取り囲むように配置される。長手方向の両側板の下方には切り欠きがあり、一対の膝入部５２を形成している。この膝入部５２は、湯灌の儀の際に、正座もしくは膝立ちして洗浄作業を行う従事者の膝を入れることを可能とし、従事者が無理のない姿勢で洗浄作業を行うことができるようにしている。また、この膝入部５２は、後述する遺体移動作業において、従事者をより遺体に近づけることを可能とする。即ち、テーブル２のスライド方向側に膝入部が設けられていることにより、遺体を持ち上げる際、従事者に安定した姿勢をとることを可能にする。
【００２９】
台座５は、前述したように、貯湯槽４の下降時において、台座５の上縁５１が貯湯槽４のフランジ４１の裏面と当接し、その上縁５１により貯湯槽４を支持する。また、後述するように、遺体を載置したテーブル２の水平移動に伴い、それらの重心が湯灌用洗浄槽１の側方へ移動する。このとき、貯湯槽４の安定した支持を維持するために、台座５は下方に向かって広がった形状を備えている。
【００３０】
テーブル支持板支持部６は、台座５の内部に収容可能な大きさに形成された基部６１と、基部６１の表面に立設された一対の支持支柱６２を備えている。
【００３１】
テーブル支持板支持部の基部６１の長手方向両側部には、一対の切り欠き部６９が設けられている。これは、台座５の膝入れ部５２に対応する位置に設けられており、従事者の膝と基部６１との干渉を防止する。
【００３２】
支持支柱６２は四角柱形状であり、その水平断面の大きさは上述した貯湯槽４の貫通孔４３よりも若干小さく形成されている。これは、貯湯槽４の昇降時において、支持支柱６２の側壁面を防水壁４４の内壁面が摺動可能に移動できるようにするためである。この支持支柱６２の側壁面と防水壁４４の内壁面との間の摺動は、水平方向における貯湯槽４の位置を規制している。そして、この支持支柱６２と防水壁４４の摺動は、防水壁４４の内壁面全体が常に支持支柱６２の側壁面に接触しているため（図５及び図６参照）、水平方向における振動やブレを生じることなく規制して、安定した状態で貯湯槽４の昇降動作を可能にしている。
【００３３】
各支持支柱６２の上面６３は、後述するテーブル支持板３を支持するために平坦に形成されており、また、この上面６３の四隅には、テーブル支持板３を固定するための螺子孔６４が設けられている。
【００３４】
一対のテーブル支持板３は平板状の部材であり、その大きさは支持支柱６２の上面６３よりも大きく形成されている。各テーブル支持板３の表面３０には、表面３０から凸状に突出させて形成したレール部３１が設けられている。このレール部３１はテーブル２のスライド方向に沿って延在している。レール部３１を設けることにより、テーブル２の水平移動時の方向性が安定する。
【００３５】
テーブル支持板３の裏面全体にはパッキン材３３が貼着されている。後述するように、このパッキン材３３は貯湯槽４の上昇時における漏水を防止する。また、テーブル支持板３の四隅には、テーブル支持板３を支持支柱６２の上面６３に固定するための貫通孔３２が設けられている。
【００３６】
貯湯槽４を昇降するための昇降装置７は、テーブル支持板支持部６の略中央部に配設されている。この昇降装置７は、パンタグラフ状に構成された複数の金属板とそれらを回動可能に連結する複数のピンから構成された伸縮部７１と、貯湯槽４の底を支持する支持枠７２と、伸縮部７１の垂直方向における伸縮を行うための水平ロッド７３とから構成されている。
【００３７】
この水平ロッド７３は支持支柱６２の内部に設けた駆動部（図示せず）により駆動される。即ち、上昇時には伸縮部７１の両下端の間隔を狭め、一方、下降時には伸縮部の両下端の間隔を広げるように作動する。駆動部の駆動方式はハンドル及びギアを備えた手動方式やアクチュエータやモータ及びギアを備えた電動方式のほか、湯灌に用いる洗浄水の水圧を利用したアクチュエータ等が好適である。このように、昇降装置を、パンタグラフ状装置と、湯灌に用いる洗浄水の水圧を利用したアクチュエータから成る駆動部とから構成することにより、簡単かつ安価にテーブルの昇降を実現することが可能となる。（←追加しました）
次に、湯灌用洗浄槽１の組立について説明する。
【００３８】
最初に、昇降装置７を装着したテーブル支持板支持部６を設置する。この時、昇降装置７は下降した状態にしておく、次に、テーブル支持板支持部６の基部６１の四隅角部に台座５の四隅角部内壁が係合するように、台座５を配置する。次に、一対の支持支柱６２がそれぞれ貫通孔４３を貫通するようにしながら、貯湯槽４をテーブル支持板支持部６の上部に載置する。次に、防水壁４４から突出している支持支柱６２の上面にテーブル支持板３をボルト止めする。このボルト（図示せず）貫通孔３２を貫通して螺子孔６４に固定される。最後に、テーブル支持板３のレール３１の上にテーブル２を載置して完成する。この完成状態を示したのが、図２である。
【００３９】
次に、本実施形態の作用効果について、洗浄作業状態と遺体移動作業状態に分けて説明する。
【００４０】
図３及び図５に示す洗浄作業状態において、昇降装置７の伸縮部７１は駆動部により駆動され垂直方向において伸張した状態となっている。この伸縮部７１の伸張により支持枠７２が上昇し貯湯槽４の底を押し上げている。
【００４１】
この貯湯槽４の上昇は、テーブル支持板３の裏面に設けたパッキン材３３に、貯湯槽４の防水壁４４の上縁４５が当接することにより終了する。即ち、防水壁４４の上縁４５がテーブル支持板３の底面と接触することにより、貯湯槽４の上昇位置が規制される。テーブル支持板３が支持支柱６２の上面よりも大きく形成されているため、テーブル支持板３の底面が支持支柱６２の上端周囲にはみ出すように配置されているためである。
【００４２】
さらに、このパッキン材３３により、上昇した貯湯槽４の防水壁４４と支持支柱６２との間にある僅かな摺動間隙からの漏水を防止する。即ち、パッキン材３３と防水壁の上縁４５が当接することにより、この摺動間隙上端部が完全に封鎖されるからである。
【００４３】
この洗浄状態においては、図５に示すように、テーブル２の表面２０は、貯湯槽４のフランジ４１の上面よりも、高さ方向においてＨ寸法だけ低く位置している。このため、遺体の洗浄作業による湯の飛散を防止することができる。このＨ寸法は、１００ｍｍ程度であることが好ましい。
【００４４】
次に、図４及び図７に示す遺体移動作業状態において、昇降装置７の伸縮部７１は駆動部により駆動され垂直方向において縮んだ状態となっている。この伸縮部７１が縮むと貯湯槽４が下降した状態となる。この貯湯槽４の下降は、貯湯槽４のフランジ４１の裏面に、台座５の上縁５１が当接することにより終了する。即ち、貯湯槽４の下降移動においては、フランジ４１の裏面と上縁５１がストッパとしての作用を有し、貯湯槽４の下降位置を規制する。また、貯湯槽４は台座５の上縁５１により貯湯槽４の外周において支持されているため、非常に安定して支持された状態となる。
【００４５】
この台座５の上縁５１によりフランジ４１の裏面が支持されている状態において、テーブル２の裏面の垂直方向における高さと、フランジ４１の上面の垂直方向における高さは略等しくなる。
【００４６】
そして、図７に示すように、テーブル２を水平方向に移動することにより遺体の移動作業を行う。テーブル２の裏面とフランジ４１の上面の垂直方向における高さが略等しくなっているため、テーブル２はテーブル支持板と貯湯槽４の上縁であるフランジ４１の上面とに支持された状態で、テーブル２はフランジ４１の内側面と干渉することなく、水平方向へ移動することができる。
【００４７】
また、テーブル２の裏面は、テーブル支持板のレール部３１に対応する凹部が形成されているため、移動する方向性が安定する。
【００４８】
このように、テーブル２がフランジ４１の上面を超えるように移動することができるため、湯灌洗浄槽１の長手方向側方に膝立ちしている従事者は、遺体が載置されているテーブル２を、力を入れやすい適切な位置へ引き寄せることが可能となる。このため、遺体を抱える際に安定した姿勢をとることができ、容易に遺体を持ち上げることが可能となる。
【００４９】
以上、本発明を好適実施形態に基づいて説明したが、本発明は以上の構成に限定されるものでなく、種々の改良が可能である。
【００５０】
たとえば、テーブル支持板３は、上記実施形態では、一対設けられているが、これを１つまたは３つ以上の構成とすることも可能である。また、昇降装置７も上記実施形態のようなパンタグラフタイプのものでなく、ピストンとシリンダから成る油圧作動型のものや電動モータを利用したものであってもよい。
【図面の簡単な説明】
【００５１】
【図１】本発明の実施形態に係る湯灌用洗浄槽１の分解斜視図である。
【図２】図１に示す湯灌用洗浄槽１の組立状態を示す斜視図である。
【図３】図１に示す湯灌用洗浄槽１の洗浄作業状態を示す側面図であり、伸縮部７１が垂直方向において伸張し、貯湯槽４が上昇した状態を示している。
【図４】図１に示す湯灌用洗浄槽１の遺体移動作業状態を示す側面図であり、伸縮部７１が垂直方向において縮み、貯湯槽４が下降した状態を示している。
【図５】図３に示すＡ−Ａ線断面図である。
【図６】図４に示すＢ−Ｂ線断面図である。
【図７】図１に示す湯灌用洗浄槽１の遺体移動作業状態を示す斜視図であり、テーブル２がフランジ４１の上面を超えるように移動している状態を示している。
【符号の説明】
【００５２】
１  湯灌用洗浄槽
２  テーブル
３  テーブル支持板
４  貯湯槽
５  台座
６  テーブル支持板支持部
７  昇降装置
２０  テーブル表面
２１  テーブル裏面
３０  表面
３１  レール部
３２  貫通孔
３３  パッキン材
４０  貯湯部
４１  フランジ
４２  貯湯部底面
４３  貫通孔
４４  防水壁
４５  上縁
５１  上縁
５２  膝入部
６１  基部
６２  支持支柱
６３  支持支柱上面
６４  螺子孔
６９  切り欠き部
７１  伸縮部
７２  支持枠
７３  水平ロッド
【図１】
2006051246.tif 000003
【図２】
2006051246.tif 000004
【図３】
2006051246.tif 000005
【図４】
2006051246.tif 000006
【図５】
2006051246.tif 000007
【図６】
2006051246.tif 000008
【図７】
2006051246.tif 000009